(57)【要約】衝突判定装置は、レーダ波により車両周囲の物体を検出するレーダ検出部と、車両周囲を撮像し撮像した画像により物体を検出する画像検出部と、レーダ検出部による検出結果と画像検出部による検出結果を用いて生成された合成物標に基づいて車両と物体の衝突を判定する衝突判定部とを備え、衝突判定部は、レーダ検出部及び前記画像検出部のうち画像検出部のみにより物体が検出された後に、該物体がレーダ検出部及び画像検出部により検出される場合、レーダ検出部よりも画像検出部の検出結果を優先させて衝突判定を行う。
2014033954.tif 000002
【特許請求の範囲】
【請求項１】
レーダ波により車両周囲の物体を検出するレーダ検出部と、
前記車両周囲を撮像し撮像した画像により前記物体を検出する画像検出部と、
前記レーダ検出部による検出結果と前記画像検出部による検出結果を用いて生成された合成物標に基づいて前記車両と前記物体の衝突を判定する衝突判定部と、
を備え、
前記衝突判定部は、前記レーダ検出部及び前記画像検出部のうち前記画像検出部のみにより前記物体が検出された後に、該物体が前記レーダ検出部及び前記画像検出部により検出される場合、前記レーダ検出部よりも前記画像検出部の検出結果を優先させて衝突判定を行う衝突判定装置。
【請求項２】
前記衝突判定部は、前記物体が前記画像検出部のみにより検出された後に前記レーダ検出部及び前記画像検出部により検出される場合、前記画像検出部のみにより検出された際の検出結果を引き継いで前記合成物標を設定する、請求項１に記載の衝突判定装置。
【請求項３】
前記衝突判定部は、前記物体が前記画像検出部のみにより検出された後に前記レーダ検出部及び前記画像検出部により検出される場合、前記合成物標に基づく前記衝突判定に代えて、前記画像検出部による検出結果に基づいて衝突判定を行う、請求項１に記載の衝突判定装置。
【請求項４】
前記衝突判定部は、前記画像検出部のみにより検出される前記物体について低閾値の合成物標を設定し、前記レーダ検出部及び前記画像検出部により検出される前記物体について前記低閾値よりも高く設定された高閾値の合成物標を設定する、請求項１又は２に記載の衝突判定装置。
【請求項５】
前記衝突判定部は、前記低閾値の合成物標について、前記高閾値の合成物標の判定閾値よりも低い判定閾値に基づいて衝突判定を行う、請求項４に記載の衝突判定装置。
【請求項６】
前記衝突判定部は、前記車両と前記物体の衝突可能性が所定の閾値を超える場合、前記レーダ検出部よりも前記画像検出部の検出結果を優先させて衝突判定を行う、請求項１〜５のいずれか一項に記載の衝突判定装置。
【請求項７】
前記レーダ検出部の検出範囲と前記画像検出部の検出範囲とが部分的に異なり、前記レーダ検出部により検出されず前記画像検出部により検出される領域が存在する、請求項１〜６のいずれか一項に記載の衝突判定装置。
【請求項８】
前記レーダ検出部は、レーダ波により前記車両前方の物体を検出し、
前記画像検出部は、前記車両前方を撮像し撮像した画像により前記物体を検出する、請求項１〜７のいずれか一項に記載の衝突判定装置。
【請求項９】
前記レーダ検出部は、レーダ波により前記車両進行方向の物体を検出し、
前記画像検出部は、前記車両進行方向を撮像し撮像した画像により前記物体を検出する、請求項１〜７のいずれか一項に記載の衝突判定装置。
【請求項１０】
前記レーダ検出部は、ミリ波により前記車両周囲の前記物体を検出する、請求項１〜９のいずれか一項に記載の衝突判定装置。
【請求項１１】
レーダ波による車両周囲の物体の検出及び車両周囲の撮像画像による前記物体の検出を行い、
前記レーダ検出による検出結果と前記画像検出による検出結果を用いて生成された合成物標に基づいて前記車両と前記物体の衝突を判定する衝突判定方法において、
前記レーダ検出及び前記画像検出のうち前記画像検出のみにより前記物体が検出された後に、該物体が前記レーダ検出及び前記画像検出により検出される場合、前記レーダ検出よりも前記画像検出の検出結果を優先させて前記車両と前記物体の衝突判定を行うこと
を含む衝突判定方法。
【発明の詳細な説明】
【技術分野】
【０００１】
本発明は、車両と物体の衝突を判定する衝突判定装置及び衝突判定方法に関する。
【背景技術】
【０００２】
従来、衝突判定装置及び衝突判定方法としては、例えば特開２００５−８４０３４号公報に記載されるように、レーダセンサによる検出結果と画像センサによる検出結果を用いて物体の合成物標を生成し、生成した合成物標に基づいて車両と物体の衝突を判定する装置及び方法が知られている。
【先行技術文献】
【特許文献】
【０００３】
【特許文献１】特開２００５−８４０３４号公報
【発明の概要】
【発明が解決しようとする課題】
【０００４】
ところで、このような装置及び方法では、物体が画像センサのみにより検出された後に両方のセンサにより検出される場合、画像センサの検出結果に基づいて衝突判定を行った後に合成物標に基づいて衝突判定を行うことが考えられる。この場合、画像センサの検出結果よりもレーダセンサの検出結果を優先させて衝突判定が行われることになる。このため、衝突判定の対象となる物標の状態の変化により衝突判定の継続性が失われてしまい、衝突判定に基づいて行われる衝突回避支援等の車両走行制御に際して運転者に違和感を与えてしまうことが考えられる。【０００５】
そこで、本発明は、衝突判定の対象となる物標の状態が変化しても衝突判定の継続性を維持できる衝突判定装置及び衝突判定方法を提供しようとするものである。
【課題を解決するための手段】
【０００６】
本発明に係る衝突判定装置は、レーダ波により車両周囲の物体を検出するレーダ検出部と、車両周囲を撮像し撮像した画像により物体を検出する画像検出部と、レーダ検出部による検出結果と画像検出部による検出結果を用いて生成された合成物標に基づいて車両と物体の衝突を判定する衝突判定部とを備え、衝突判定部は、レーダ検出部及び画像検出部のうち画像検出部のみにより物体が検出された後に、該物体がレーダ検出部及び画像検出部により検出される場合、レーダ検出部よりも画像検出部の検出結果を優先させて衝突判定を行う。【０００７】
これにより、物体が画像検出部のみにより検出された後にレーダ検出部及び画像検出部により検出される場合、レーダ検出部よりも画像検出部の検出結果を優先させて衝突判定が行われる。よって、衝突判定の対象となる物標の状態が変化しても衝突判定の継続性を維持できる。【０００８】
また、衝突判定部は、物体が画像検出部のみにより検出された後にレーダ検出部及び画像検出部により検出される場合、画像検出部のみにより検出された際の検出結果を引き継いで合成物標を生成してもよい。これにより、画像検出部による検出結果が引き継がれるので、衝突判定の継続性を維持できる。【０００９】
また、衝突判定部は、物体が画像検出部のみにより検出された後にレーダ検出部及び画像検出部により検出される場合、合成物標に基づく衝突判定に代えて、画像検出部による検出結果に基づいて衝突判定を行ってもよい。これにより、画像検出部による検出結果に基づく衝突判定が継続されるので、衝突判定の継続性を維持できる。【００１０】
また、衝突判定部は、画像検出部のみにより検出される物体について低閾値の合成物標を生成し、レーダ検出部及び画像検出部により検出される物体について低閾値よりも高く設定された高閾値の合成物標を生成してもよい。これにより、合成物標に基づいて一貫した衝突判定が行われるので、衝突判定の継続性を維持できる。【００１１】
また、衝突判定部は、低閾値の合成物標について、高閾値の合成物標の判定閾値よりも低い判定閾値に基づいて衝突判定を行ってもよい。これにより、合成物標の種類毎に適切な衝突判定を行うことができる。【００１２】
また、衝突判定部は、車両と物体の衝突可能性が所定の閾値を超える場合、レーダ検出部よりも画像検出部の検出結果を優先させて衝突判定を行ってもよい。【００１３】
また、レーダ検出部の検出範囲と画像検出部の検出範囲とが部分的に重なり、レーダ検出部により検出されず画像検出部により検出される領域が存在していてもよい。【００１４】
また、レーダ検出部は、レーダ波により車両前方の物体を検出してもよく、画像検出部は、車両前方を撮像し撮像した画像により物体を検出してもよい。【００１５】
また、レーダ検出部は、レーダ波により車両進行方向の物体を検出してもよく、画像検出部は、車両進行方向を撮像し撮像した画像により物体を検出してもよい。【００１６】
また、レーダ検出部は、ミリ波により車両前方の物体を検出してもよい。【００１７】
本発明に係る衝突判定方法は、レーダ波による車両周囲の物体の検出及び車両周囲の撮像画像による物体の検出を行い、レーダ検出による検出結果と画像検出による検出結果を用いて生成された合成物標に基づいて車両と物体の衝突を判定する衝突判定方法において、レーダ検出及び画像検出のうち画像検出のみにより物体が検出された後に、該物体がレーダ検出及び画像検出により検出される場合、レーダ検出よりも画像検出の検出結果を優先させて車両と物体の衝突判定を行うことを含む。
【発明の効果】
【００１８】
本発明によれば、衝突判定の対象となる物標の状態が変化しても衝突判定の継続性を維持できる衝突判定装置及び衝突判定方法を提供できる。
【図面の簡単な説明】
【００１９】
【図１】本発明の実施形態に係る衝突判定装置の構成を示すブロック図である。
【図２】レーダ及びステレオカメラの検出範囲を示す図である。
【図３】想定される衝突判定処理の状況を示す図である。
【図４】衝突判定装置の動作を示すフローチャートである。
【図５】図４に示す衝突判定処理の状況を示す図である。
【発明を実施するための形態】
【００２０】
以下、添付図面を参照して、本発明の実施形態を詳細に説明する。なお、図面の説明において同一の要素には同一の符号を付し、重複する説明を省略する。
【００２１】
以下では、本発明の実施形態に係る衝突判定装置及び衝突判定方法について、車両周囲、特に車両前方の物体との衝突判定を行う実施形態について説明する。しかし、車両前方に限らず、車両後方の物体又は車両進行方向の物体との衝突判定を行う実施形態についても同様に説明することができる。
【００２２】
まず、図１及び図２を参照して本発明の実施形態に係る衝突判定装置の構成について説明する。衝突判定装置は、車両に搭載され、レーダセンサ及び画像センサを用いて車両と物体の衝突を判定する装置である。
【００２３】
図１は、本発明の実施形態に係る衝突判定装置の構成を示すブロック図である。図１に示すように、衝突判定装置は、速度センサ１１、レーダ１２、ステレオカメラ１３及びＥＣＵ２０（Electronic  Control  Unit）を備えている。
【００２４】
速度センサ１１は、車両の速度を検出する。速度センサ１１としては、例えば車輪速センサが用いられる。速度センサ１１は、検出した車両速度をＥＣＵ２０に供給する。
【００２５】
レーダ１２は、レーダ波により車両周囲、特に車両前方の物体を検出するレーダ検出部（レーダセンサ）として機能し、車両前方にレーダ波（電磁波）を送信し、物体から反射されるレーダ波を受信する。レーダ１２としては、例えば、マイクロ波レーダ、ミリ波レーダ、超音波レーダ、レーザレーダが用いられる。レーダ１２は、物体の検出結果を示すレーダ検出情報をＥＣＵ２０に供給する。
【００２６】
ステレオカメラ１３は、車両周囲、特に車両前方を撮像し撮像した画像により物体を検出する画像検出部（画像センサ）として機能する。ステレオカメラ１３としては、例えば、ＣＣＤ（Charge-Coupled  Device）、ＣＭＯＳ（Complementary  Metal-Oxide  Semiconductor）が用いられる。ステレオカメラ１３は、複数のカメラとして車両の前面又はキャビンに設置される。ステレオカメラ１３は、物体の検出結果を示す画像検出情報をＥＣＵ２０に供給する。なお、ステレオカメラ１３に代えて単一のカメラが用いられてもよい。
【００２７】
ＥＣＵ２０は、レーダ物標生成部２１、画像物標生成部２２、合成物標生成部２３及び衝突判定部２４を備えている。ＥＣＵ２０は、ＣＰＵ、ＲＯＭ、ＲＡＭ等を主体として、ＣＰＵによるプログラムの実行を通じてレーダ物標生成部２１、画像物標生成部２２、合成物標生成部２３及び衝突判定部２４の機能を実現する。なお、ＥＣＵ２０は、単一ユニットとして構成されてもよく、複数ユニットとして構成されてもよい。
【００２８】
レーダ物標生成部２１は、レーダ１２からのレーダ検出情報に基づいてレーダ物標を生成する。レーダ物標は、車両を基準とする座標から求められる、物体までの距離及び物体の横位置に関する物標情報を有している。
【００２９】
レーダ物標の物標情報は、レーダ１２からのレーダ検出情報に基づいて算出される。物体までの距離とは、車両の進行方向における車両（レーダ１２）から物体までの距離を表し、レーダ１２からレーダ波が送信され、物体から反射されて受信されるまでの時間に基づいて算出される。物体の横位置とは、車両の進行方向と直交する方向における車両（レーダ１２）から物体までの距離を表し、物体から反射されて受信されるレーダ波の方向（角度）に基づいて算出される。レーダ物標における横位置は、レーダ１２により検出された物体の位置の情報であり、物体の横幅の情報を含まない。
【００３０】
画像物標生成部２２は、ステレオカメラ１３からの画像検出情報に基づいて画像物標を生成する。画像物標は、車両を基準とする座標から求められる、物体までの距離及び物体の横位置に関する物標情報を有している。また、画像物標生成部２２は、画像検出情報に基づいて物体をトラッキングすることにより物体が静止状態にあるか否かを判定し、トラッキング結果及び静止状態の判定結果を衝突判定部２４に供給する。
【００３１】
画像物標の物標情報は、ステレオカメラ１３を構成する左右カメラの画像検出情報のずれに基づいて三角測量の原理により算出され、又は、前方車両のナンバープレート等の検出サイズ及び位置に基づいて算出される。物体までの距離とは、車両の進行方向における車両（ステレオカメラ１３）から物体までの距離を表す。物体の横位置とは、車両の進行方向と直交する方向における車両（ステレオカメラ１３）から物体までの距離を表す。画像物標における横位置は、画像から検出された物体の横方向の範囲、つまり物体の横幅の情報も含む。物標情報の算出に際しては、算出誤差を低減するために算出値を平均化する等の処理が行われてもよい。
【００３２】
合成物標生成部２３は、レーダ物標及び画像物標の物標情報、つまりレーダ１２及びステレオカメラ１３による検出結果を用いて物体の合成物標を生成する。合成物標は、レーダ物標及び画像物標の物標情報に基づいて両方の物標を照合して生成される。両方の物標は、両方の物標における物標情報の類似度、つまり、物体までの距離及び物体の横位置の類似度に基づいて照合される。合成物標は、物体までの距離及び物体の横位置（横幅を含む）に関する物標情報を有している。合成物標の物標情報は、レーダ物標及び画像物標の物標情報に基づくものであり、レーダ物標又は画像物標単独の物標情報より高い精度を有している。
【００３３】
図２は、レーダ１２とステレオカメラ１３の検出範囲Ａ１、Ａ２を示す図である。図２に示すように、レーダ１２の検出範囲Ａ１は、ステレオカメラ１３の検出範囲Ａ２よりも狭い。このため、車両Ｃの斜め前方には、レーダ１２の検出範囲Ａ１の外側でステレオカメラ１３のみにより検出可能な領域が存在することになる。そして、図２に示すように、物体が両方のセンサ１２、１３の検出範囲Ａ１、Ａ２内に存在する間は合成物標が生成されるが、物体がレーダ１２の検出範囲Ａ１から逸脱すると合成物標が生成されなくなる。
【００３４】
図１の説明に戻って、衝突判定部２４は、レーダ物標、画像物標及び合成物標について、それぞれに衝突判定用のパラメータを算出する。パラメータとしては、例えば、物標距離、衝突確率、存在確率及び衝突横位置が算出される。
【００３５】
物標距離とは、車両の進行方向における物標までの距離を意味し、衝突確率とは、車両が物標に対応する物体と衝突する確率を意味し、存在確率とは、物標に対応する物体が実際に存在する確率を意味し、衝突横位置とは、物標に対応する物体との衝突が予想される横位置（車両の幅方向における位置）を意味する。物標距離、衝突確率、存在確率及び衝突横位置は、各物標の移動状況に基づいて求められる。各物標のパラメータは、各物標の物標情報と併せて所定期間に亘ってＲＡＭ等のメモリに記憶され、必要に応じて読み出される。
【００３６】
衝突判定部２４は、合成物標に基づいて衝突判定を行う。衝突判定部２４は、合成物標のパラメータが所定の閾値を満たす場合、衝突時間が閾値未満であるか否かに基づいて物体との衝突可能性を判定する。衝突時間は、合成物標の物標情報を用いて、物体までの距離を物体の相対速度（物体までの距離の単位時間当たり変化量）で除して算出される。衝突可能性の判定結果は、例えば、運転者への報知、車両の制動又は操舵への制御介入等による衝突回避支援に用いられる。
【００３７】
また、衝突判定部２４は、レーダ物標が生成されず画像物標のみが生成される状況において、画像物標に基づいて衝突判定を行う。衝突判定部２４は、画像物標のパラメータが所定の閾値を満たし、かつ衝突時間が閾値未満であるか否かに基づいて、物体との衝突可能性を判定する。衝突時間は、画像物標の物標情報を用いて、物体までの距離を物体の相対速度で除して算出される。
【００３８】
ここで、衝突判定部２４は、レーダ１２及びステレオカメラ１３のうちステレオカメラ１３のみにより物体が検出された後、該物体がレーダ１２及びステレオカメラ１３により検出される場合、レーダ１２よりもステレオカメラ１３の検出結果を優先させて衝突判定を行う。具体的には、衝突判定部２４は、物体がレーダ１２及びステレオカメラ１３により検出される場合、物体がステレオカメラ１３のみにより検出されていた際のステレオカメラ１３による検出結果を引き継いで合成物標を設定する。また、衝突判定部２４は、物体がステレオカメラ１３のみにより検出される際に低閾値の合成物標を設定し、物体がレーダ１２及びステレオカメラ１３により検出される際に低閾値よりも高く設定された高閾値の合成物標を設定する。
【００３９】
つぎに、図３から図５を参照して衝突判定装置の動作について説明する。まず、図３を参照して想定される衝突判定処理について説明する。図３は、想定される衝突判定処理の状況を示す図である。
【００４０】
図３には、レーダ１２及びステレオカメラ１３の検出範囲Ａ１、Ａ２とともに、各センサ１２、１３により生成された物標の位置の変化が時系列的に示されている。物標としては、走行中の車両Ｃの前方を横断する例えば歩行者Ｐを想定している。
【００４１】
図３に示す状況では、物体がレーダ１２の検出範囲Ａ１外でありステレオカメラ１３の検出範囲Ａ２内から両方のセンサ１２、１３の検出範囲Ａ１、Ａ２内に移動している。物体がレーダ１２の検出範囲Ａ１外でありステレオカメラ１３の検出範囲Ａ２内を移動している間は画像物標が生成され、物体が両方のセンサ１２、１３の検出範囲Ａ１、Ａ２内に移動するとレーダ物標及び画像物標を用いて合成物標が生成されている。
【００４２】
ところで、上記衝突判定処理では、物体がステレオカメラ１３のみにより検出された後に両方のセンサ１２、１３により検出される場合、画像物標に基づいて衝突判定を行った後に合成物標に基づいて衝突判定を行うことが考えられる。この場合、画像物標よりもレーダ物標の情報（衝突判定用パラメータ等）を優先させて衝突判定が行われる。すなわち、物体がステレオカメラ１３のみにより検出された際の画像物標の情報（衝突判定用パラメータ等）が引き継がれず、レーダ物標の情報に基づいて合成物標が新たに設定される。このため、衝突判定の対象となる物標の状態の変化により衝突判定の継続性が失われてしまい、衝突判定に基づいて行われる衝突回避支援等の車両走行制御に際して運転者に違和感を与えてしまう可能性がある。
【００４３】
つぎに、図４及び図５を参照して衝突判定装置の動作について説明する。図４は、衝突判定装置の動作を示すフローチャートである。図５は、図４に示す衝突判定処理の状況を示す図である。
【００４４】
衝突判定装置は、図４に示す処理を処理周期毎に繰り返し実行する。衝突判定装置は、図４に示す処理を行う前に次の処理を行う。すなわち、レーダ物標生成部２１は、レーダ１２の検出範囲内に物体が存在する場合にレーダ物標を生成する。画像物標生成部２２は、ステレオカメラ１３の検出範囲内に物体が存在する場合に画像物標を生成する。合成物標生成部２３は、レーダ物標と画像物標の照合が得られる場合に合成物標を生成する。衝突判定部２４は、レーダ物標、画像物標及び合成物標のそれぞれについて、物標の生成状況に応じて、衝突判定用のパラメータを算出する。
【００４５】
上記処理を行った後、衝突判定部２４は、画像物標が所定の精度を有しているか否かを判定する（Ｓ１１）。この判定では、例えば、画像物標の衝突判定用パラメータとして衝突横位置の信頼度が判定される。衝突横位置とは、画像物標との衝突が予想される横位置（車両の幅方向における位置）を意味しており、その信頼度（確実度）は、例えば従前の処理周期における衝突横位置の推移に基づいて求められる。
【００４６】
画像物標が所定の精度を有していると判定した場合、衝突判定部２４は、物体がステレオカメラ１３のみにより検出されているか否か、つまり画像物標のみが生成されているか否かを判定する（Ｓ１２）。画像物標のみが生成されていると判定した場合、衝突判定部２４は、衝突判定の対象として低閾値の合成物標を設定する（Ｓ１３）。
【００４７】
低閾値の合成物標とは、画像物標のみを用いて生成される合成物標であり、衝突判定に用いる判定閾値として、通常の合成物標（後述する高閾値の合成物標）の閾値よりも低い閾値が設定される。この場合、衝突判定部２４は、衝突判定用パラメータとして、画像物標のパラメータを設定する（Ｓ１４）。
【００４８】
Ｓ１２にて画像物標のみが生成されていると判定しなかった場合、衝突判定部２４は、物体がレーダ１２及びステレオカメラ１３により検出されているか否か、つまり、合成物標が生成されているか否かを判定する（Ｓ１５）。
【００４９】
合成物標が生成されていると判定した場合、衝突判定部２４は、直前の処理周期で画像物標のみが生成されていた否かを判定する（Ｓ１６）。ここで、画像物標のみが生成されていたと判定した場合、物体がステレオカメラ１３により検出された後に両方のセンサ１２、１３により検出されることを意味する。
【００５０】
この場合、衝突判定部２４は、レーダ物標よりも画像物標の情報（衝突判定用パラメータ等）を優先させて衝突判定を行う。このため、衝突判定部２４は、画像物標のみが生成されていた際の画像物標、つまり直前の処理周期における低閾値の合成物標の情報を合成物標（後述する高閾値の合成物標）の情報として引き継ぐ（Ｓ１７）。
【００５１】
Ｓ１５にて合成物標が生成されていると判定した場合、衝突判定部２４は、直前の処理周期で画像物標のみが生成されていたか否かにかかわらず、衝突判定の対象として高閾値の合成物標を設定する（Ｓ１８）。
【００５２】
高閾値の合成物標とは、レーダ物標及び画像物標を用いて生成される通常の合成物標であり、低閾値の合成物標よりも高い精度を有する。この場合、衝突判定部２４は、衝突判定用パラメータとして、合成物標のパラメータを設定する（Ｓ１９）。
【００５３】
ここで、Ｓ１７にて直前の処理周期における画像物標の情報を引き継いだ場合、直前の処理周期で算出された画像物標の情報に基づいて高閾値の合成物標が新たに設定される。すなわち、レーダ物標よりも画像物標の情報（衝突判定用パラメータ等）を優先させて合成物標を新たに設定する。そして、これ以降は、引き継がれた情報を更新することにより高閾値の合成物標のパラメータが算出される。
【００５４】
なお、Ｓ１１にて画像物標が所定の精度を有していると判定しなかった場合、又はＳ１５にて合成物標が生成されていると判定しなかった場合、画像物標に基づく衝突判定を適切に行えないので、衝突判定部２４は、衝突判定用パラメータとして０を設定する（Ｓ２０）。
【００５５】
そして、Ｓ１４、Ｓ１９又はＳ２０にて、衝突判定用パラメータを設定すると、衝突判定部２４は、設定したパラメータに基づいて衝突判定を行う。より具体的に、衝突判定部２４は、衝突判定用パラメータが所定の閾値を満たすか否かを判定し、所定の閾値を満たすと判定すると、衝突時間が判定閾値未満であるか否かを判定する。
【００５６】
ここで、高閾値の合成物標に基づいて衝突可能性を判定する場合、衝突判定部２４は、合成物標の物標情報を用いて衝突時間を算出し、通常の判定閾値と比較する。一方、低閾値の合成物標に基づいて衝突可能性を判定する場合、衝突判定部２４は、画像物標の物標情報を用いて衝突時間を算出し、通常よりも低い判定閾値と比較する。
【００５７】
なお、上記フローチャートでは、Ｓ１１にて画像物標が所定の精度を有しているか否かに応じて、画像物標に基づく衝突判定を行うようにした。しかし、これに代えて又はこれに加えて、車両と物体の衝突可能性が所定の閾値を超えるか否かを判定し、衝突可能性が閾値を超える場合に画像物標に基づく衝突判定を行うようにしてもよい。この場合、例えば、画像物標の衝突判定用パラメータが所定の閾値を満たすか否かに基づいて衝突可能性が判定される。
【００５８】
図５には、図３と対比して、図４に示す衝突判定処理における物標の位置の変化が時系列的に示されている。図４に示す衝突判定処理では、物体がステレオカメラ１３のみにより検出された後に両方のセンサ１２、１３により検出される場合、低閾値の合成物標に基づいて衝突判定が行われた後に高閾値の合成物標に基づいて衝突判定が行われる。この場合、高閾値の合成物標に基づく衝突判定は、物体がステレオカメラ１３のみにより検出された際の画像物標の情報（衝突判定用パラメータ等）を引き継いで、レーダ物標よりも画像物標の情報を優先して高閾値の合成物標を設定することにより行われる。このため、画像物標の情報に基づいて衝突判定が継続されるので、衝突判定の対象となる物標の状態が変化しても衝突判定の継続性を維持できる。よって、衝突判定に基づいて行われる衝突回避支援等の車両走行制御に際して運転者に違和感を与えずに済む。
【００５９】
以上説明したように、本発明の実施形態に係る衝突判定装置によれば、レーダ１２及びステレオカメラ１３のうちステレオカメラ１３のみにより物体が検出された後に、該物体がレーダ１２及びステレオカメラ１３により検出される場合、レーダ１２よりもステレオカメラ１３の検出結果を優先させて衝突判定が行われる。よって、衝突判定の対象となる物標の状態が変化しても衝突判定の継続性を維持できる。
【００６０】
また、物体がステレオカメラ１３のみにより検出された後にレーダ１２及びステレオカメラ１３により検出される場合、ステレオカメラ１３のみにより検出された際の検出結果を引き継いで合成物標を生成することにより、ステレオカメラ１３による検出結果を引き継いでもよい。
【００６１】
また、物体がステレオカメラ１３のみにより検出された後にレーダ１２及びステレオカメラ１３により検出される場合、合成物標に基づく衝突判定に代えて、ステレオカメラ１３による検出結果に基づいて衝突判定を行ってもよい。
【００６２】
また、ステレオカメラ１３のみにより検出される物体について低閾値の合成物標を生成し、レーダ１２及びステレオカメラ１３により検出される物体について低閾値よりも高く設定された高閾値の合成物標を生成することにより、合成物標に基づいて一貫した衝突判定を行ってもよい。
【００６３】
また、低閾値の合成物標について、高閾値の合成物標の判定閾値よりも低い判定閾値に基づいて衝突判定を行うことにより、合成物標の種類毎に適切な衝突判定を行ってもよい。
【００６４】
また、車両と物体の衝突可能性が所定の閾値を超える場合、レーダ１２よりもステレオカメラ１３の検出結果を優先させて衝突判定を行ってもよい。
【００６５】
また、レーダ１２の検出範囲とステレオカメラ１３の検出範囲とが部分的に重なり、レーダ１２により検出されずステレオカメラ１３により検出される領域が存在してもよい。
【００６６】
また、レーダ１２は、レーダ波により車両前方の物体を検出してもよく、ステレオカメラ１３は、車両前方を撮像し撮像した画像により物体を検出してもよい。
【００６７】
また、レーダ１２は、レーダ波により車両進行方向の物体を検出してもよく、ステレオカメラ１３は、車両進行方向を撮像し撮像した画像により物体を検出してもよい。
【００６８】
また、レーダ１２は、ミリ波により車両前方の物体を検出してもよい。
【００６９】
なお、前述した実施形態は、本発明に係る衝突判定装置及び衝突判定方法の最良な実施形態を説明したものであり、本発明に係る衝突判定装置及び衝突判定方法は、本実施形態に記載したものに限定されるものではない。本発明に係る衝突判定装置及び衝突判定方法は、各請求項に記載した発明の要旨を逸脱しない範囲で本実施形態に係る衝突判定装置及び衝突判定方法を変形し、または他のものに適用したものであってもよい。
【００７０】
例えば、上記実施形態の説明では、レーダ物標生成部２１及び画像物標生成部２２の機能をＥＣＵ２０により実現する場合について説明した。しかし、レーダ物標生成部２１の機能を単独のＥＣＵ、例えばレーダセンサ用ＥＣＵにより実現し、画像物標生成部２２の機能を単独のＥＣＵ、例えば画像センサ用ＥＣＵにより実現してもよい。
【００７１】
また、上記実施形態の説明では、レーダ１２及びステレオカメラ１３の検出範囲Ａ１、Ａ２が車両の進行方向に対して左右対称であり、対称的に重なっている場合について説明した。しかし、両方のセンサ１２、１３の検出範囲Ａ１、Ａ２は、部分的に重なり、レーダ１２により検出されず、ステレオカメラ１３により検出される領域が存在していればよく、必ずしも車両の進行方向に対して左右対称であり対称的に重なり合っている必要はない。
【００７２】
また、上記実施形態の説明では、物体がステレオカメラ１３のみにより検出された後に両方のセンサ１２、１３により検出される場合、画像物標に基づいて衝突判定を行った後に合成物標に基づいて衝突判定を行う場合について説明した。しかし、画像物標に基づいて衝突判定を行った後に、合成物標に基づく衝突判定に代えて画像物標に基づいて（つまり、ステレオカメラ１３による検出結果に基づいて）衝突判定を行ってもよい。この場合でも、画像物標に基づく衝突判定が継続されるので、衝突判定の継続性を維持できる。
【００７３】
以上、本発明の実施形態に係る衝突判定装置及び衝突判定方法について、車両周囲、特に車両前方の物体との衝突判定を行う実施形態について説明した。しかし、冒頭にて述べたように、車両前方に限らず、車両後方の物体又は車両進行方向の物体との衝突判定を行う実施形態についても同様に説明することができる。
【００７４】
この場合、例えば、車両後方の物体を検出する車両前方の物体及び車両後方の物体をそれぞれに検出する２組のレーダセンサ及び画像センサを用いることにより、車両後方の物体との衝突判定を行うことができる。また、レーダセンサ及び画像センサを用いることにより、車両の前進及び後退に応じて車両進行方向の物体との衝突判定を行うことができる。
【符号の説明】
【００７５】
１１…速度センサ、１２…レーダ、１３…ステレオカメラ、２０…ＥＣＵ、２１…レーダ物標生成部、２２…画像物標生成部、２３…合成物標生成部、２４…衝突判定部。
【図１】
2014033954.tif 000003
【図２】
2014033954.tif 000004
【図３】
2014033954.tif 000005
【図４】
2014033954.tif 000006
【図５】
2014033954.tif 000007
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
レーダ波により車両周囲の物体を検出するレーダ検出部と、
前記車両周囲を撮像し撮像した画像により前記物体を検出する画像検出部と、
前記レーダ検出部による検出結果と前記画像検出部による検出結果を用いて生成された合成物標に基づいて前記車両と前記物体の衝突を判定する衝突判定部と、
を備え、
前記衝突判定部は、前記レーダ検出部及び前記画像検出部のうち前記画像検出部のみにより前記物体が検出された後に、該物体が前記レーダ検出部及び前記画像検出部により検出される場合、前記レーダ検出部よりも前記画像検出部の検出結果を優先させて衝突判定を行う衝突判定装置。
【請求項２】
前記衝突判定部は、前記物体が前記画像検出部のみにより検出された後に前記レーダ検出部及び前記画像検出部により検出される場合、前記画像検出部のみにより検出された際の検出結果を引き継いで前記合成物標を設定する、請求項１に記載の衝突判定装置。
【請求項３】
前記衝突判定部は、前記物体が前記画像検出部のみにより検出された後に前記レーダ検出部及び前記画像検出部により検出される場合、前記合成物標に基づく前記衝突判定に代えて、前記画像検出部による検出結果に基づいて衝突判定を行う、請求項１に記載の衝突判定装置。
【請求項４】
前記衝突判定部は、前記画像検出部のみにより検出される前記物体について低閾値の合成物標を設定し、前記レーダ検出部及び前記画像検出部により検出される前記物体について前記低閾値よりも高く設定された高閾値の合成物標を設定する、請求項１又は２に記載の衝突判定装置。
【請求項５】
前記衝突判定部は、前記低閾値の合成物標について、前記高閾値の合成物標の判定閾値よりも低い判定閾値に基づいて衝突判定を行う、請求項４に記載の衝突判定装置。
【請求項６】
前記レーダ検出部の検出範囲と前記画像検出部の検出範囲とが部分的に異なり、前記レーダ検出部により検出されず前記画像検出部により検出される領域が存在する、請求項１〜５のいずれか一項に記載の衝突判定装置。
【請求項７】
前記レーダ検出部は、レーダ波により前記車両前方の物体を検出し、
前記画像検出部は、前記車両前方を撮像し撮像した画像により前記物体を検出する、請求項１〜６のいずれか一項に記載の衝突判定装置。
【請求項８】
前記レーダ検出部は、レーダ波により前記車両進行方向の物体を検出し、
前記画像検出部は、前記車両進行方向を撮像し撮像した画像により前記物体を検出する、請求項１〜６のいずれか一項に記載の衝突判定装置。
【請求項９】
前記レーダ検出部は、ミリ波により前記車両周囲の前記物体を検出する、請求項１〜８のいずれか一項に記載の衝突判定装置。
【請求項１０】
レーダ波による車両周囲の物体の検出及び車両周囲の撮像画像による前記物体の検出を行い、
前記レーダ検出による検出結果と前記画像検出による検出結果を用いて生成された合成物標に基づいて前記車両と前記物体の衝突を判定する衝突判定方法において、
前記レーダ検出及び前記画像検出のうち前記画像検出のみにより前記物体が検出された後に、該物体が前記レーダ検出及び前記画像検出により検出される場合、前記レーダ検出よりも前記画像検出の検出結果を優先させて前記車両と前記物体の衝突判定を行うこと
を含む衝突判定方法。
【国際調査報告】
2014033954.tif 000008
2014033954.tif 000009
2014033954.tif 000010
2014033954.tif 000011